(57)【要約】【課題】  折り畳み状態から使用時の状態へのセットが容易かつ確実に行える高所作業用物置き台を提供する。また、物置き台から載置物が落下しにくいように構成する。【解決手段】  高所作業を行う人員が乗り込むバケットに取り付け、計器や工具などの物品を置くための物置き台について、バケット３５の上縁３６に掛け止めるフック部１２と、フック部１２の上部にヒンジ結合した盤状の物置き部１１とを有し、物置き部１１は、不使用時にはヒンジ部１３からぶら下がりバケット３５の壁面とほぼ平行な状態に配置され、使用時にはヒンジ部１３を中心にほぼ２７０度回転してフック部１２の上面に支えられ、ほぼ水平な状態に設置されるように構成する。【選択図】          図８
0003114859.tif 000002
【実用新案登録請求の範囲】
【請求項１】
高所作業を行う人員が乗り込むバケットに取り付け、計器や工具などの物品を置くための物置き台であって、バケットの上縁に掛け止めるフック部と、フック部の上部にヒンジ結合した盤状の物置き部とを有し、物置き部は、不使用時にはヒンジ部からぶら下がりバケットの壁面とほぼ平行な状態に配置され、使用時にはヒンジ部を中心にほぼ２７０度回転してフック部の上面に支えられ、ほぼ水平な状態に設置される高所作業用物置き台。
【請求項２】
フック部は、長短の縦辺とそれらをつなぐ横辺を有する逆Ｊ字型に類似の形状を有し、短い縦辺から横辺を越えて突出する支片の先端にヒンジ部を有しており、横辺の上面は物置き部を使用時に支える部分となる請求項１記載の高所作業用物置き台。
【考案の詳細な説明】
【技術分野】
【０００１】
本考案は高所作業を行う人員が乗り込むバケットに取り付け、計器や工具などの物品を置くための物置き台に関するものである。
【背景技術】
【０００２】
電柱やそれに取り付けられた機器或いは通信線等に関する作業を行うために、昇降可能なバケットを有する高所作業車が使用される。その作業では、例えば光ファイバーに関する工事の場合、融着接続機や計測器、或いは工具等を使用するが、それらを置くスペースがないため、板をバケットの縁にわたして置き場所を確保したり、バケットの上縁に引っ掛けて適当な板を取り付けることで対処して来た。
【０００３】
例えば実開平７−２００１８号は、高所作業車のバケット内に掛着して測定器、工具等を載置できるもので、上部、下部の工具類等の載置板を間隔を設けて下部の載置板を平行に上部の載置板の前端縁部の位置より前方に配設し、上部、下部の載置板の前端縁部と後端縁部の両端部に、両方の載置板に対して垂直に一体に柱体で連結し、上部の載置板の後端縁部に複数のフック部を一体に構成する、というものである。
【０００４】
しかし、載置板をバケットに引っ掛けるだけでは外れやすく、不安定であり、載置物とともに落下させる危険性がある。またバケット内の有効スペースも減少するという問題がある。載置板を折り畳み式にすれば邪魔になりにくいが、折り畳み構造によっては振動が加わると折り畳み状態に戻ってしまうとか、載置物が落下しやすい、というような問題が起こる。
【０００５】
【特許文献１】実開平７−２００１８号
【考案の開示】
【考案が解決しようとする課題】
【０００６】
本考案は前記の点に着目してなされたもので、その課題は、不使用時の折り畳み状態から使用時の状態へのセットが容易かつ確実に行える高所作業用物置き台を提供することである。また本考案の他の課題は、物置き台から載置物が落下しにくい高所作業用物置き台を提供することである。
【課題を解決するための手段】
【０００７】
前記の課題を解決するため本考案は、高所作業を行う人員が乗り込むバケットに取り付け、計器や工具などの物品を置くための物置き台について、バケットの上縁に掛け止めるフック部と、フック部の上部にヒンジ結合した盤状の物置き部とを有し、物置き部は、不使用時にはヒンジ部からぶら下がりバケットの壁面とほぼ平行な状態に配置され、使用時にはヒンジ部を中心にほぼ２７０度回転してフック部の上面に支えられ、ほぼ水平な状態に設置されるようにするという手段を講じたものである。
【０００８】
この種のバケットは、例えば高所作業車のアームの先端に取り付けられ、昇降可能に設けられている。また、送電線などの吊り下げられるゴンドラもバケットの１種であり、上が開放した篭ないしバスタブ状のものが本考案におけるバケットに当たると考えて良い。このバケットの開口の縁がフック部を掛け止める上縁である。フック部を掛け止めるためには単に引っ掛ける浅いフックでは不足であり、掛けて簡単には外れないように止まっているだけの深さを必要とする。特許文献１の符号５で示されるフック部は柱体４との間隔よりも短い浅いフック部であり、後述する本考案は簡単には外れないで止まるフック部である。
【０００９】
上記のフック部は、長短の縦辺とそれらをつなぐ横辺を有する逆Ｊ字型に類似の形状を有し、短い縦辺から横辺を越えて突出する支片の先端にヒンジ部を有しており、横辺の上面は物置き部を使用時に支える部分となる構成を有することが望ましい。短い縦辺は、長い縦辺に対して短いという意味であり、短くなくてはならないという意味ではなく、相対的に短いためにバケットの上縁に対して抜き差しが容易になるという長所がある。
【００１０】
盤状の物置き部は、フック部の上部にヒンジ結合しており、不使用時にぶら下がってバケットの壁面とほぼ平行な折り畳み状態となり、使用時にはほぼ水平な状態となる。物置き部は不使用時には垂直にぶら下がり、使用時には水平になるので、垂直から水平までほぼ２７０度回転することになる。使用状態から不使用状態にするときにも同様にほぼ２７０度回転する。使用時、物置き部はヒンジ部にヒンジ結合した状態においてフック部の上面に支えられ、ほぼ水平な状態に設置されるので安定である。しかし、物置き部の跳ね上がる可能性がないともいえないので、磁気吸着やクランプ止めなどの固定手段を用いて動く可能性をなくすこともある。また物置き部に載置した物品が滑らないように、滑り止めを載置面に設けることができる。
【００１１】
フック部の長い方の縦辺は、例えば棒状の部材の形態を取ることができ、その場合、左右２個の棒状の部材を取ることが望ましい（後述する実施形態の例１参照）。しかし、棒状の部材に代えて板状の部材をフック部の長い方の縦辺としても良い（同じく例２参照）。本考案におけるフック部は、簡単には外れずに止まる構成であることは既に述べたとおりであるが、さらにねじ止めのための構成を用意し、バケットの壁面に締め付けてフック部を固定することができる。
【考案の効果】
【００１２】
本考案は前記のように構成されかつ作用するものであるから、折り畳み状態にある不使用時から使用時の状態へのセットが容易かつ確実に行えるとともに、物置き台から載置物を落下させるおそれが少ないという効果を奏する。
【考案を実施するための最良の形態】
【００１３】
以下図示の実施形態を参照して本考案をより詳細に説明する。図１〜図３は本考案の実施形態の例１を示すもので、その物置き台１０は、平面形状が長方形で、浅い、盤状の物置き部１１を有し、高所作業車などのバケット３５の上縁３６に掛け止めるフック部１２の上部に、物置き部１１をヒンジ部１３にて結合した構成を有している。１４は物置き部周囲の立ち上がりを示す。
【００１４】
フック部１２は、長短の縦辺１５、１６と、それらをつなぐ横辺１７とを有する逆Ｊ字形に類似した形状を有し（図８の使用状態を参照）、短い縦辺１６から横辺１７を越えて突出する支片１８の先端にヒンジ部１３を有しており、横辺１７の上面１９は使用時に物置き部１１を支える部分となる。例示のフック部１２は棒状の部材によって構成されており、左右１対より成る。
【００１５】
図４〜図６は本考案の実施形態の例２を示すもので、その物置き台２０は例１と同形の物置き部２１を有しており、フック部２２の上部に物置き部２１をヒンジ部２３にて結合した構成及び立ち上がり２４を有する点でも同様である。例２のフック部２２は長短の縦辺２５、２６と、それらをつなぐ横辺２７とを有する逆Ｊ字形に類似しており、短い縦辺２６から横辺２７を越えて突出する支片２８の先端にヒンジ部２３を有しており、横片２７の上面２９は使用時に物置き部２１を支える部分となる。
【００１６】
例２では、長い縦辺２５は板状の部材から成り、短い縦辺２６も同様であるので、１枚の板金部材をほぼＪ字形に折り曲げたような形態を呈する。その長い縦辺２５の板面に止めねじ３１を捻じ込むめねじ部３２が、締め付け手段３０として設けてあり、止めねじ３１の先端にはゴム片３３が取り付けられている。
【００１７】
このように構成された本考案の高所作業用物置き台１０、２０は、フック部１２、２２を、バケット３５の上縁３６に掛け止めることによって固定することができる。例１、例２のどちらの物置き台でもフック部１２、２２を掛け止めるだけで固定され、不意に外れてしまうことはない。不使用時には、ヒンジ部１３、２３を中心にバケット３５の外壁面にぶら下がってほぼ平行な状態に置かれるので、バケット内部にいる人員の邪魔にはならず、使用時にはヒンジ部１３、２３を中心にほぼ２７０度回転してフック部１３、２３の上面に支えられるので、揺さぶられた程度では折り畳み状態に戻ってしまうことはなく、安定に使用することができる。また物置き部１１、２１にはゴムシートなどを敷いて滑り止め３８を設けることにより、載せて置いてある計器や工具などの物品３７がすべるのを防止することができる。
【図面の簡単な説明】
【００１８】
【図１】本考案に係る高所作業用物置き台の例１を示す上面図。
【図２】図１のものの正面図。
【図３】同じく側面図。
【図４】例２を示す図１と同様の上面図。
【図５】図４のものの正面図。
【図６】同じく側面図。
【図７】使用状態の斜視図。
【図８】同じく側面図。
【符号の説明】
【００１９】
１０、２０  物置き台
１１、２１  物置き部
１２、２２  フック部
１３、２３  ヒンジ部
１４、２４  立ち上がり
１５、２５  長い縦辺
１６、２６  短い縦辺
１７、２７  横辺
１８、２８  支片
１９、２９  上面
３０  締め付け手段
３５  バケット
３６  上縁
【図１】
0003114859.tif 000003
【図２】
0003114859.tif 000004
【図３】
0003114859.tif 000005
【図４】
0003114859.tif 000006
【図５】
0003114859.tif 000007
【図６】
0003114859.tif 000008
【図７】
0003114859.tif 000009
【図８】
0003114859.tif 000010